(57)【特許請求の範囲】
【請求項１】
駆動源としての油圧モータが収容されるケーシングの一端開口部に、この開口部を閉塞する状態で設けられる油圧駆動装置のカバーであって、次の(ｉ)〜(ｖ)の要件を具備することを特徴とする油圧駆動装置のカバー。
(ｉ)  上記ケーシングに取付けられるフランジ部と、このフランジ部の片面に一体に設けられたバルブ取付部から成ること。
(ｉｉ)  上記バルブ取付部に、スプール弁を設けるためのスプール穴を、上記フランジ部の直径方向に延びる穴として設けること。
(ｉｉｉ)  上記フランジ部の外周一部を上記スプール穴の軸方向と直角な平面にカットして自立用平面部を設けること。
(ｉｖ)  上記バルブ取付部に、上記ケーシング内のドレン油を外部に排出するためのドレンポートを、上記自立用平面部と同一平面上で上記スプール穴の軸方向に開口する状態で設けること。
(ｖ)  上記フランジ部の外周側から見たカバー側面視において、上記自立用平面部、及び上記ドレンポートが開口する平面部であるポート開口平面部を合わせた領域と、上記自立用平面部の外側端と上記ポート開口平面部の外側端を結ぶ直線と上記自立用平面部及び上記ポート開口平面部との間の領域とを足した領域を転倒限界エリアとして、カバー全体の重心をこの転倒限界エリア内に設定したこと。
【請求項２】
上記自立用平面部とポート開口平面部を一つの連続した面として形成したことを特徴とする請求項１記載の油圧駆動装置のカバー。
【発明の詳細な説明】
【技術分野】
【０００１】
本発明は油圧ショベルの走行駆動装置等として使用される油圧駆動装置のケーシングに設けられるカバーに関するものである。
【背景技術】
【０００２】
油圧ショベルの走行駆動装置を例にとって背景技術を説明する。
【０００３】
ショベルは、図６に示すようにクローラ式の下部走行体１上に上部旋回体２が地面に対して垂直となる軸Ｘのまわりに旋回自在に搭載され、この上部旋回体に作業アタッチメント３が取付けられて構成される。
【０００４】
下部走行体１は、左右のクローラフレーム(片側のみ図示)４の前後片側にスプロケット５、反対側に遊動輪６を取付け、これらの間にクローラ(履帯)７を巻き付けて構成される。
【０００５】
図７はスプロケット５を駆動する走行駆動装置を示す。
【０００６】
この走行駆動装置は、円筒状の固定ケーシング８と、この固定ケーシング８に回転自在に嵌合支持された回転ケーシング９を備えている。
【０００７】
固定、回転両ケーシング８,９には、それぞれ外周にケーシングフランジ部８ａ,９ａが設けられ、固定ケーシング８のケーシングフランジ部８ａが図６中のクローラフレーム４に、回転ケーシング９のケーシングフランジ部９ａが同スプロケット５にそれぞれボルト止めされる。
【０００８】
固定ケーシング８には油圧モータ、回転ケーシング９には遊星歯車式の減速機(いずれも図示しない)がそれぞれ内蔵され、油圧モータの回転力が減速機により減速されて回転ケーシング９、さらに図６中のスプロケット５に伝わってクローラ７が駆動される。
【０００９】
また、固定ケーシング８の一端側(図の左側)には、モータ組み付けのための図示しない開口部と、この開口部を閉塞するカバー(『リヤフランジ』と称される場合もある)１０が設けられる。
【００１０】
以上の構成は特許文献１〜３に示されている。
【００１１】
このカバー１０は、固定ケーシング８に取付けるためのフランジ部１１と、このフランジ部１１の片面に一体に設けられたブロック状のバルブ取付部１２によって構成される。
【００１２】
バルブ取付部１２には、ブレーキ弁としてのカウンタバランス弁を含むバルブ類や、固定ケーシング８内のドレン油を外部に排出するためのドレンポートを含む各種ポート(いずれも図示しない)等が設けられる。
【００１３】
この場合、図７中に示すように、カウンタバランス弁を設けるためのスプール穴１３をフランジ部１１の直径方向に延びる(貫通する)穴として設けたものが公知である(特許文献２，３参照)。
【先行技術文献】
【特許文献】
【００１４】
【特許文献１】特開２００２−２１３５４４号公報
【特許文献２】特開２００４−２１８５４５号公報
【特許文献３】実開平０６−２５０２４号公報
【発明の概要】
【発明が解決しようとする課題】
【００１５】
カウンタバランス弁用のスプール穴１３は、円滑なスプール動作を確保するためにホーニング加工機等により、内径、真円度、円筒度、表面粗さ等の点で高精度に加工される。
【００１６】
また、加工後も、円筒度計測機等によってこのスプール穴の検査が行われる。
【００１７】
このスプール穴の加工、検査は、一般的な加工機、計測機では、対象となる穴を縦方向に固定した状態(以下、『縦置き状態』という)で行われる。
【００１８】
この場合、フランジ部１１の外周一部に平面部を設け、この平面部でカバー１０全体を自立させることが考えられる。
【００１９】
ところが、カバー１０は、前記のようにフランジ部１１の片面にブロック状のバルブ取付部１２を設けた構造で、カバー全体の重心がバルブ取付部１２側にあってフランジ部１１にはないため、平面部を設けるだけでは自立させることができない。
【００２０】
このため、加工及び検査時に、カバー１０を縦置き固定するための専用の治具と、この治具を用いることに付随する芯出し等の余分な作業が必要となり、加工、検査の作業効率が悪く、かつ、コスト高となっていた。
【００２１】
そこで本発明は、スプール穴の加工、検査時に、治具によらずに縦置き状態に簡単に、しかも安定良く自立させることができる油圧駆動装置のカバーを提供するものである。
【課題を解決するための手段】
【００２２】
上記課題を解決する手段として、本発明においては、駆動源としての油圧モータが収容されるケーシングの一端開口部に、この開口部を閉塞する状態で設けられる油圧駆動装置のカバーであって、次の(ｉ)〜(ｖ)の要件を具備するものである。
【００２３】
(ｉ)  上記ケーシングに取付けられるフランジ部と、このフランジ部の片面に一体に設けられたバルブ取付部から成ること。
【００２４】
(ｉｉ)  上記バルブ取付部に、スプール弁を設けるためのスプール穴を、上記フランジ部の直径方向に延びる穴として設けること。
【００２５】
(ｉｉｉ)  上記フランジ部の外周一部を上記スプール穴の軸方向と直角な平面にカットして自立用平面部を設けること。
【００２６】
(ｉｖ)  上記バルブ取付部に、上記ケーシング内のドレン油を外部に排出するためのドレンポートを、上記自立用平面部と同一平面上で上記スプール穴の軸方向に開口する状態で設けること。
【００２７】
(ｖ)  上記フランジ部の外周側から見たカバー側面視において、上記自立用平面部、及び上記ドレンポートが開口する平面部であるポート開口平面部を合わせた領域と、上記自立用平面部の外側端と上記ポート開口平面部の外側端を結ぶ直線と上記自立用平面部及び上記ポート開口平面部との間の領域とを足した領域を転倒限界エリアとして、カバー全体の重心をこの転倒限界エリア内に設定したこと。
【００２８】
このように、フランジ部に自立用平面部、バルブ取付部にポート開口平面部をそれぞれ互いに同一平面上に設け、この両平面部を含む転倒限界エリア内にカバー全体の重心を設定したから、スプール穴の加工、検査時に、カバーを両平面部によって縦置き状態に安定良く自立させることができる。
【００２９】
すなわち、カバーを縦置き固定するための専用治具を用いる必要も、それに付随する芯出し等の余分な作業も不要となり、スプール穴の加工及び検査を効率良く、低コストで行うことが可能となる。
【００３０】
しかも、構造的にはフランジ部とバルブ取付部に平面部(自立用、ポート開口両平面部)を設けるだけでよく、大がかり、あるいは複雑な構造変更の必要がないため、カバーそのもののコストアップのおそれもない。
【００３１】
この場合、上記自立用平面部とポート開口平面部を一つの連続した面として形成するのが望ましい(請求項２)。
【００３２】
こうすれば、両平面部を一つの面として連続加工できるため、両平面部を独立した二つの面として形成した場合と比較して、加工が容易となるとともに、加工用の切削刃が空間から平面部への乗り移り部分で衝撃を受けて損傷する等のおそれがない。
【発明の効果】
【００３５】
本発明によると、スプール穴の加工、検査時に、カバーを、治具によらずに縦置き状態に簡単に、しかも安定良く自立させることができる。
【図面の簡単な説明】
【００３６】
【図１】本発明の実施形態に係る走行駆動装置のカバーの概略正面図である。
【図２】同、上面図である。
【図３】同、側面図である。
【図４】同、斜視図である。
【図５】同、反対側から見た斜視図である。
【図６】本発明の適用対象である油圧ショベルの概略側面図である。
【図７】油圧ショベルの走行駆動装置の概略側面図である。
【発明を実施するための形態】
【００３７】
本発明の実施形態を図１〜図５によって説明する。
【００３８】
実施形態は、油圧ショベルの走行駆動装置において、図７中の固定ケーシング８の一端開口部に装着されるカバーを適用対象としている。
【００３９】
この実施形態に係るカバー２０において、次の点は図７に示す公知技術と同じである。
【００４０】
(Ｉ)  固定ケーシング８に取付けるためのフランジ部２１と、このフランジ部２１の片面に一体に設けられたブロック状のバルブ取付部２２によって構成される点。
【００４１】
(ＩＩ)  バルブ取付部２２に、ブレーキ弁としてのカウンタバランス弁を含むバルブ類や各種通路が設けられる点。
【００４２】
(ＩＩＩ)  バルブ取付部２２に、カウンタバランス弁を設けるためのスプール穴２３が、フランジ部２１の直径方向に延びる(貫通する)穴として設けられる点。
【００４３】
なお、実施形態に係るカバーを示す各図とその説明において、本発明の特徴を分かり易くするために本発明と直接関係のない部分、部品の図示、説明を省略している。
【００４４】
このカバーにおいては、フランジ部２１の外周一部がスプール穴２３の軸方向と直角な平面にカットされて自立用平面部２４が形成されている。
【００４５】
また、バルブ取付部２２に、図７中の固定ケーシング８内のドレン油を外部に排出するためのＬ字形の通路であるドレンポート２５が設けられている。
【００４６】
このドレンポート２５は、一端側がスプール穴２３に対して直角方向に延びて固定ケーシング８側に開口し、他端がスプール穴２３と平行に延びてバルブ取付部２２の外周側(スプール穴２３の軸方向)に開口する状態で設けられている。
【００４７】
図３，４中、２５ａはこのドレンポート２５のバルブ取付部外周側の開口部、２６はこの開口部２５ａを含む平面部、すなわち『ポート開口平面部』である。
【００４８】
ここで、ポート開口平面部２６は、自立用平面部２４に対してバルブ取付部２２側に離間した位置で、自立用平面部２４と同一平面上に、かつ、自立用平面部２４と連続して設けられている。
【００４９】
すなわち、自立用平面部２４とポート開口平面部２６は、スプール穴２３の軸方向と直角な、一つの連続した面として形成されている。
【００５０】
また、フランジ部２１の外周側から見たカバー側面視において、自立用及びポート開口両平面部２４，２６の最も外側を通る包括線Ｌで囲われた領域Ａを転倒限界エリアとして、カバー全体の重心Ｇがこの転倒限界エリアＡ内に設定されている(図３，４参照)。
【００５１】
なお、上記転倒限界エリアＡは、詳述すると、両平面部２４，２６を合わせた領域(図３，４中に斜線を付した領域)と、両平面部２４，２６の外側端同士を結ぶ直線の内側領域を足した領域であり、実施形態では図示のように略三角形となる。
【００５２】
この構成とすることにより、スプール穴２３の加工、検査時に、カバー２０を両平面部２４，２６によって縦置き状態に安定良く自立させることができる。
【００５３】
すなわち、カバー２０を縦置き固定するための専用治具を用いる必要も、それに付随する芯出し等の余分な作業も不要となり、スプール穴２３の加工及び検査を効率良く、低コストで行うことが可能となる。
【００５４】
しかも、構造的にはフランジ部２１とバルブ取付部２２に平面部(自立用、ポート開口両平面部)２４，２６を設けるだけでよく、大がかり、あるいは複雑な構造変更の必要がないため、カバー２０そのもののコストアップのおそれもない。
【００５５】
この場合、両平面部２４，２６が一つの連続した面として形成されているため、両平面部２４，２６を一つの面として連続加工することができる。このため、両平面部２４，２６を独立した二つの面として形成した場合と比較して、加工が容易となるとともに、加工用の切削刃が両平面部間の乗り移り部分で衝撃を受けて損傷する等のおそれがない。
【００５６】
また、実施形態においては、図示のように自立用及びポート開口両平面部２４，２６がカバー外周の対称二個所に同一構成で設けられている。
【００５７】
これにより、カバー縦置き時の上下の方向性が無くなるため、スプール穴の加工及び検査時の取扱いに便利となる。
【００５８】
ところで、本発明の他の実施形態として、自立用及びポート開口両平面部２４，２６をカバー外周の一個所のみに設けてもよいし、独立した別々の面(不連続の面)として形成してもよい。
【００５９】
また、本発明は、油圧ショベル等の走行駆動装置のカバーに限らず、ウィンチの巻上駆動装置のカバー等も含めて、駆動源としての油圧モータと減速機がケーシングに内蔵された油圧駆動装置のカバーであって、フランジ部とバルブ取付部から成り、バルブ取付部にカウンタバランス弁等のスプール弁とドレンポートが設けられるものに広く適用することができる。
【符号の説明】
【００６０】
８  固定ケーシング
２０  カバー
２１  フランジ部
２２  バルブ取付部
２３  カウンタバランス弁のスプール穴
２４  自立用平面部
２５  ドレンポート
２５ａ  ドレンポートの開口部
２６  ポート開口平面部
Ａ  転倒限界エリア
Ｌ  包括線
Ｇ  カバー重心
【図１】
0006365052.tif 000002
【図２】
0006365052.tif 000003
【図３】
0006365052.tif 000004
【図４】
0006365052.tif 000005
【図５】
0006365052.tif 000006
【図６】
0006365052.tif 000007
【図７】
0006365052.tif 000008